(57)【特許請求の範囲】
【請求項１】
ＲＣ造梁の上面に間柱の柱脚部を設置する構造であって、前記ＲＣ造梁は梁長手方向に複数の門型の補強筋が上面に突設され、前記間柱の前記柱脚部には前記梁長手方向に開口する貫通孔が形成され、前記間柱を前記貫通孔が前記補強筋の内側となる高さとして、隣り合う一対の前記補強筋の間に配置し、該間柱の前記貫通孔に棒材を挿通して、該棒材を前記補強筋に内側から掛止可能に配置したことを特徴とする鉄骨造建物における間柱の柱脚設置構造。
【請求項２】
棒材は、少なくとも一対の補強筋に掛止可能な長さである請求項１記載の鉄骨造建物における間柱の柱脚設置構造。
【請求項３】
間柱は、その柱頭部を接合した上階の鉄骨造梁からＲＣ造梁上に柱脚部が垂下する請求項１または２記載の鉄骨造建物における間柱の柱脚設置構造。
【請求項４】
柱脚部の下面に底板を設けた請求項１、２または３記載の鉄骨造建物における間柱の柱脚設置構造。
【請求項５】
ＲＣ造梁の上面にコンクリートを増打ちして、補強筋及びこれに挿通した鉄筋と共に柱脚部を前記コンクリートに埋設した請求項１から４のうち何れか一項記載の鉄骨造建物における間柱の柱脚設置構造。
【発明の詳細な説明】
【技術分野】
【０００１】
この発明は、鉄骨造建物における間柱の柱脚部を梁に設置する構造に係り、特に、最下階の地中梁に間柱の柱脚部を設置するのに好適な構造に関するものである。
【背景技術】
【０００２】
ショッピングセンターや物流倉庫、工場などの比較的大規模な鉄骨造建物では、主構造をなす柱の他に、外装材や内装材を支持するための間柱を設置する。間柱は、その上下端それぞれを梁に接合するが、特に建物の最下階では、従来、図９・１０に示したような接合構造を有していた。即ち、この接合構造では、ＲＣ造の地中梁２０にアンカー２１を打ち込み、間柱３０の柱脚部３１に設けたベースプレート３２をアンカー２１にボルト接合したものである。また、地中梁２０には、その上部にコンクリートの増打ち２２を行うために、あばら筋２３が上部を露出した状態で複数列設されており、アンカー２１とベースプレート３２のボルト接合後に増打ち２２を行うことによって、ボルト接合部を含め、間柱３０の柱脚部３１を増打ちコンクリート２２内に収めるようにしている。
【０００３】
なお、特許文献１は、上述した従来技術に関連するものとして、鉄骨造間柱の鉄筋コンクリート造梁への定着構造を開示している。
【先行技術文献】
【特許文献】
【０００４】
【特許文献１】特開２００６−１９４０３６号公報
【発明の概要】
【発明が解決しようとする課題】
【０００５】
ところで、鉄骨造建物において間柱は、上述のように、外装材や内装材を支持するものであって、主構造の柱のような主要構造部ではなく、また、構造耐力上主要な部分でもないことから、その柱脚部は、設計上、ピン接合として評価される。
【０００６】
しかしながら、上述した従来技術では、アンカー２１とベースプレート３２をボルト接合した剛接合となっており、設計評価との間で構造的不整合が生じている。
【０００７】
また、施工性についても、ＲＣ造の梁２０にアンカー２１を打ち込む際、精度を出すために手間がかかっている。さらに、間柱３０の柱脚部３１に設けたベースプレート３２が梁２０の増打ち用あばら筋２３と干渉する恐れがある。
【０００８】
本発明は上述した課題を解決するためになされたもので、その目的とするところは、鉄骨造建物において、間柱に求められる必要な性能を保持しつつ、梁への取り付けを容易に行うことができる柱脚部の設置構造を開示することである。
【課題を解決するための手段】
【０００９】
上述した目的を達成するために本発明では、ＲＣ造梁の上面に間柱の柱脚部を設置する構造であって、前記ＲＣ造梁は梁長手方向に複数の門型の補強筋が上面に突設され、前記間柱の前記柱脚部には前記梁長手方向に開口する貫通孔が形成され、前記間柱を前記貫通孔が前記補強筋の内側となる高さとして、隣り合う一対の前記補強筋の間に配置し、該間柱の前記貫通孔に棒材を挿通して、該棒材を前記補強筋に内側から掛止可能に配置するという手段を用いた。
【００１０】
当該手段では、柱脚部に貫設する棒材がダウェルピンとして作用して、柱脚部をＲＣ造梁との間で自由に位置決めすることができる。したがって、アンカーとベースプレートを用いて接合を行う従来技術の課題を一挙に解決することができる。
【００１１】
棒材は、鉄筋が入手容易であるが、これに限定するものではなく、ステンレス棒、木棒等であってもよい。また、その長さは、少なくとも一対の補強筋に掛止可能な長さであることが好ましく、より長くすることで補強筋との掛止数が増し、荷重を分散することができる。
【００１２】
間柱は、その柱頭部を接合した上階の鉄骨造梁と共にＲＣ造梁上に吊り上げ、該吊り上げ状態で棒材を貫通孔に挿通するという手段を用いることができる。これによれば、上階の鉄骨造梁の吊り込み時に、間柱の位置決めを行うことができる。したがって、従来技術の接合構造により、間柱を立て込んだ後、該間柱の柱頭部に上階の鉄骨造梁を吊り込むという工法よりも工程数が少なく施工性が高い。
【００１３】
また、柱脚部の下面に底板を設けることで、作業員が棒材を挿通する間柱を識別することができる。また、平面の面積が間柱の投影面積以下である底板を採用することで、柱脚部を一対の補強筋の間に配置する際、底板が補強筋と干渉することがない。
【００１４】
さらに、ＲＣ造梁の上面にコンクリートを増打ちして、補強筋及びこれに挿通した棒材と共に柱脚部を前記コンクリートに埋設することで、柱脚部とＲＣ造梁との定着強度を向上させることができる。
【発明の効果】
【００１５】
本発明によれば、アンカーやベースプレートが不要となり、柱脚部の設置を省力化・低コスト化することができる。また、ピン接合とした設計上のモデルに近い構造体を実現することができる。
【図面の簡単な説明】
【００１６】
【図１】本発明の一実施形態に係る柱脚部設置構造の断面図
【図２】同、平面図
【図３】同、施工手順を示した工程図（吊り込み）
【図４】同工程図（鉄筋配置）
【図５】図４の左側一点鎖線円形部分の拡大図（鉄筋挿通前）
【図６】図４の右側一点鎖線円形部分の拡大図（鉄筋挿通後）
【図７】同工程図（打増しコンクリート）
【図８】同、鉄筋の配置方法を示した平面図
【図９】従来の柱脚部の接合構造を示した断面図
【図１０】同、平面図
【発明を実施するための形態】
【００１７】
以下、本発明の好ましい実施の形態を添付した図面に従って説明する。図１は本発明の一実施形態を示した柱脚設置構造の断面図、図２は平面図であって、１はＲＣ造梁、２は間柱である。ＲＣ造梁１は鉄骨造建物の基礎となる部分であり、最下階として地中に埋設される。また、その梁長手方向にはあばら筋３が複数、等間隔に配設されている。このあばら筋３は梁内部において上端筋４・下端筋５と共にコンクリート内に収まるループ筋部３ａを備え、これに沿って、両脚を該ループ筋部３ａの左右縦筋に結束した門型の補強筋３ｂを打増しコンクリート６の補強筋として、ＲＣ造梁２の上面に複数突設している。
【００１８】
一方、間柱２はＨ形鋼など従来公知の素材・形状からなり、隣り合う一対の門型補強筋３ｂの間に配置され、その柱脚部２ａには門型補強筋３ｂの内側を挿通するようにスパン方向に沿って所定長さのダウェル筋７を貫設している。
【００１９】
なお、８は間柱２の柱脚部２ａ下面に溶接・接着等によって固定した底板であり、この実施形態の場合、その平面の面積は間柱２の投影面積と同じである。また、９は柱脚部２ａの両サイドに設けた緩衝材であって、そのクッション性によって増打ちコンクリート６の割れを防止するものである。
【００２０】
次に、上記設置構造の施工手順を図３〜図７に従って説明する。対象となる間柱２は、その柱頭部が上階の鉄骨造梁１０に接合されており、この状態でクレーン等の重機（図示せず）によって、鉄骨造梁１０をＲＣ造梁２の上方に吊り上げる（図３）。そして、重機を下降操縦して、前記鉄骨造梁１０から垂下する間柱２の柱脚部２ａを、ＲＣ造梁２上、所望の隣り合う一対の門型補強筋３ｂの間に入れ込む（図４）。このとき柱脚部２ａの下面に設けた底板８は、柱脚部２ａ（間柱２）の投影面積と一致するため、門型補強筋３ｂと干渉することなく、柱脚部２ａを一対の門型補強筋３ｂの間に入れ込むことができる。
【００２１】
このような吊り込み中に、図５に示すように、門型補強筋３ｂの内側にダウェル筋７を位置させ、続いて、図６に示すように、このダウェル筋７を柱脚部２ａに設けた貫通孔２ｂに挿通する。ダウェル筋７を挿通すべき間柱２は底板６の存在によって作業員が識別できる。そして、挿通したダウェル筋７は柱脚部２ａの左右において複数の門型補強筋３ｂに下側から掛止（当接）した状態となっている。最終工程として、ＲＣ造梁１の上面に打増しコンクリート６を施工することで一連の工程が完了する。
【００２２】
なお、ダウェル筋７は本発明において柱脚部に貫設する棒材に相当し、間柱２を吊り込んだ際に門型補強筋３ｂに内側（下側）から掛止して、柱脚部２ａを適当な高さに位置決めするものである。そして、その長さは、少なくとも柱脚部２ａの左右一対の門型補強筋３ｂに掛止可能なものであればよい。この点、図例では、ダウェル筋７は、柱脚部２ａの左右それぞれで二組、合計四組の門型補強筋３ｂに掛止する長さを有しており、図８に示すように、斜めからダウェル筋７を門型補強筋３ｂ内に差し入れ、その後、回転することで、ダウェル筋７をスパン方向に沿って柱脚部２ａに貫設することができる。
【符号の説明】
【００２３】
１  ＲＣ造梁
２  間柱
２ａ  柱脚部
２ｂ  貫通孔
３  あばら筋
３ａ  ループ筋部
３ｂ  補強筋（あばら筋の露出上端部）
４  上端筋
５  下端筋
６  打増しコンクリート
７  ダウェル筋
８  底板
９  緩衝材
１０  鉄骨造梁
【図１】
0006609133.tif 000002
【図２】
0006609133.tif 000003
【図３】
0006609133.tif 000004
【図４】
0006609133.tif 000005
【図５】
0006609133.tif 000006
【図６】
0006609133.tif 000007
【図７】
0006609133.tif 000008
【図８】
0006609133.tif 000009
【図９】
0006609133.tif 000010
【図１０】
0006609133.tif 000011